(57)【要約】【課題】複数のレンズが、組み込まれているので、自由度が低い。【解決手段】カメラレンズセットは、２以上のレンズ部品を組み合わせて、カメラレンズとして用いられる複数のレンズ部品を備える。カメラレンズセットにおいて、前記複数のレンズ部品のうちの少なくとも１つのレンズ部品は、レンズと、前記レンズの外周を支持する筐体と、当該レンズ部品の前記筐体を他のレンズ部品の筐体に対して着脱可能とする装着部と、を有する。【選択図】図１
2014235401.tif 000002
【特許請求の範囲】
【請求項１】
２以上のレンズ部品を組み合わせてカメラレンズとして用いられる複数のレンズ部品を備え、
前記複数のレンズ部品のうちの少なくとも１つのレンズ部品は、
レンズと、
前記レンズの外周を支持する筐体と、
当該レンズ部品の前記筐体を他のレンズ部品の前記筐体に対して着脱可能とする装着部と、
を有するカメラレンズセット。
【請求項２】
前記装着部は、磁石を含み、磁力によって前記他のレンズ部品の装着部に装着される
請求項１に記載のカメラレンズセット。
【請求項３】
前記複数のレンズ部品のそれぞれの前記装着部は、カメラ本体とカメラレンズセットの間を着脱可能とするカメラマウントと同一のカメラマウントを含む
請求項１または２に記載のカメラレンズセット。
【請求項４】
前記２以上のレンズ部品を内蔵する筒状の外部鏡筒を更に備える
請求項１から３のいずれか１項に記載のカメラレンズセット。
【請求項５】
前記外部鏡筒の端部において、内蔵された前記２以上のレンズ部品を固定する
請求項４に記載のカメラレンズセット。
【請求項６】
前記複数のレンズ部品のそれぞれは、前記筐体同士の間を折り畳みまたは広げることができるように支持する支持部を有する
請求項１から５のいずれか１項に記載のカメラレンズセット。
【請求項７】
前記支持部は、他の前記筐体と着脱可能に設けられる
請求項６に記載のカメラレンズセット。
【請求項８】
前記複数のレンズ部品は、光軸方向における前記レンズ部品を配置すべき位置に応じてグループ分けされている
請求項１から７のいずれか１項に記載のカメラレンズセット。
【請求項９】
前記装着部は、隣接して配置すべきでない前記他のレンズ部品の前記装着部と嵌合しない
請求項８に記載のカメラレンズセット。
【請求項１０】
前記複数のレンズ部品のそれぞれの前記筐体は、
前記レンズ部品を組み合わせた状態において対応する位置に光を通す窓と、
当該窓内に設けられ、前記レンズ部品の種類を示す色又はパターンを有する光透過部と、
を有し、
前記２以上のレンズ部品を組み合わせた状態において、前記２以上のレンズ部品の光透過部を透過した光の色又はパターンにより、前記２以上のレンズ部品の組み合わせの適性を示す
請求項１から９のいずれか１項に記載のカメラレンズセット。
【請求項１１】
前記レンズ部品の前記筐体が前記他のレンズ部品の前記筐体に固定されるピンを有する
請求項１から１０のいずれか１項に記載のカメラレンズセット。
【請求項１２】
前記２以上のレンズ部品のそれぞれは、対応する位置に設けられた貫通孔を有し、
前記２以上のレンズ部品の対応する位置に設けられた前記貫通孔にピンを通すことによって前記２以上のレンズ部品を固定する
請求項１から１１のいずれか１項に記載のカメラレンズセット。
【請求項１３】
前記複数のレンズ部品のそれぞれの前記筐体は、光軸方向の高さが略同一である
請求項１から１２のいずれか１項に記載のカメラレンズセット。
【請求項１４】
前記複数のレンズ部品の少なくとも１つは、前記他のレンズ部品に組み合わされて、絞りとして機能する絞り用レンズ部品である
請求項１から１３のいずれか１項に記載のカメラレンズセット。
【請求項１５】
２以上の前記絞り部品は、絞りの形が互いに異なる
請求項１４に記載のカメラレンズセット。
【請求項１６】
前記複数のレンズ部品の少なくも１つは、前記レンズを有しない空洞レンズ部品である
請求項１から１５のいずれか１項に記載のカメラレンズセット。
【請求項１７】
前記空洞レンズ部品は、前記レンズ部品間の距離を変更するズーム用レンズ部品である
請求項１６に記載のカメラレンズセット。
【請求項１８】
前記空洞レンズ部品は、２以上の前記筐体を駆動する駆動部を有する
請求項１７に記載のカメラレンズセット。
【請求項１９】
前記カメラレンズの焦点距離、被写体距離、およびＦ値のいずれかの情報を表示する情報表示部を更に備える
請求項１から１８のいずれか１項に記載のカメラレンズセット。
【請求項２０】
請求項１から１９のいずれか１項に記載のカメラレンズセットを装着する撮像装置であって、
装着された前記カメラレンズセットを構成する前記２以上のレンズ部品のそれぞれの識別情報を取得する取得部と、
取得した前記レンズ部品のそれぞれの識別情報に基づいて、前記２以上のレンズ部品の組み合わせによる前記カメラレンズの焦点距離、Ｆ値、および特性の少なくとも１つを含むレンズ情報を特定する特定部と、
を備える撮像装置。
【請求項２１】
前記取得部は、前記２以上のレンズ部品の装着順序を更に取得し、
前記特定部は、取得した前記レンズ部品のそれぞれの識別情報および装着順序に基づいて、前記レンズ情報を特定する
請求項２０に記載の撮像装置。
【請求項２２】
前記２以上のレンズ部品の組み合わせをユーザに対して推奨する推奨部を更に備える
請求項２０または２１に記載の撮像装置。
【請求項２３】
ユーザが希望する前記カメラレンズの焦点距離、Ｆ値、および特性の少なくとも１つを含む条件を指定したことに応じて、前記推奨部は、条件を満たす２以上のレンズ部品の組み合わせを推奨する
請求項２２に記載の撮像装置。
【請求項２４】
前記推奨部は、前記撮像装置側から順にレンズ部品を装着していく過程で、次に装着すべき前記レンズ部品の候補を表示する
請求項２２または２３に記載の撮像装置。
【請求項２５】
請求項１から１９のいずれか１項に記載のカメラレンズセットを装着する撮像装置であって、
前記カメラレンズセットを通して被写体を撮像する撮像部により、予め定められた検査パターンを前記カメラレンズセットを通して撮像させる撮像制御部と、
撮像された前記検査パターンに現れたゴーストに基づいて、２以上のレンズ部品のうちいずれの前記レンズ部品の前記レンズが汚れているかを検出する汚れ検出部と、
を備える
撮像装置。
【請求項２６】
請求項１から１９のいずれか１項に記載のカメラレンズセットに設けられるレンズ部品。
【発明の詳細な説明】
【技術分野】
【０００１】
本発明は、カメラレンズセット、撮像装置、及び、レンズ部品に関する。
【背景技術】
【０００２】
複数のレンズを有するカメラレンズセットが知られている（例えば、特許文献１参照）。
［特許文献１］  特開２０１３−８８７３７号公報
【発明の概要】
【発明が解決しようとする課題】
【０００３】
上述のカメラレンズセットは、複数のレンズが予め組み込まれているので、自由度が低いといった課題がある。
【課題を解決するための手段】
【０００４】
本発明の第１の態様においては、２以上のレンズ部品を組み合わせてカメラレンズとして用いられる複数のレンズ部品を備え、前記複数のレンズ部品のうちの少なくとも１つのレンズ部品は、レンズと、前記レンズの外周を支持する筐体と、当該レンズ部品の前記筐体を他のレンズ部品の筐体に対して着脱可能とする装着部と、を有するカメラレンズセットを提供する。
【０００５】
本発明の第２の態様においては、上述のカメラレンズセットを装着する撮像装置であって、装着された前記カメラレンズセットを構成する前記２以上のレンズ部品のそれぞれの識別情報を取得する取得部と、取得した前記レンズ部品のそれぞれの識別情報に基づいて、前記２以上のレンズ部品の組み合わせによる前記カメラレンズの焦点距離、Ｆ値、および特性の少なくとも１つを含むレンズ情報を特定する特定部と、を備える撮像装置を提供する。
【０００６】
本発明の第３の態様においては、上述のカメラレンズセットを装着する撮像装置であって、前記カメラレンズセットを通して被写体を撮像する撮像部により、予め定められた検査パターンを前記カメラレンズセットを通して撮像させる撮像制御部と、撮像された前記検査パターンに現れたゴーストに基づいて、２以上のレンズ部品のうちいずれの前記レンズ部品の前記レンズが汚れているかを検出する汚れ検出部と、を備える撮像装置を提供する。
【０００７】
本発明の第４の態様においては、上述のカメラレンズセットに設けられるレンズ部品を提供する。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】カメラレンズセット１０の全体構成図である。
【図２】カメラレンズセット１０の縦断面である。
【図３】カメラレンズセット１０が装着された撮像装置５０の縦断面図である。
【図４】カメラレンズセット１０及び撮像装置５０の制御系を説明するブロック図である。
【図５】撮像装置５０におけるカメラレンズセット１０の特性表示処理のフローチャートである。
【図６】撮像装置５０におけるカメラレンズセット１０の汚れ検出処理のフローチャートである。
【図７】第１変形例にかかる装着部を有するレンズ部品１１２を備える分解状態のカメラレンズセット１１０の縦断面図である。
【図８】図７にカメラレンズセット１１０が装着された撮像装置５０の縦断面図である。
【図９】第２変形例にかかるカメラレンズセット２１０の縦断面図である。
【図１０】第３変形例にかかる支持部３１８を有するレンズ部品３１２を備えるカメラレンズセット３１０の全体斜視図である。
【図１１】第４変形例にかかる装着部４１８、４１９を有するレンズ部品４１２を備えるカメラレンズセット４１０の側面図である。
【図１２】第５変形例にかかる筐体５１６を有するレンズ部品５１２を備えるカメラレンズセット５１０の縦断面図である。
【図１３】第６変形例にかかる筐体６１６を有するレンズ部品６１２を備えるカメラレンズセット６１０の縦断面図である。
【図１４】第７変形例にかかるレンズ部品７１２を備えるカメラレンズセット７１０の縦断面図である。
【図１５】第８変形例にかかるレンズ部品を備えるカメラレンズセット８１０の縦断面図である。
【図１６】第９変形例にかかるレンズ部品を備えるカメラレンズセット９１０の縦断面図である。
【図１７】第１０変形例にかかる装着部を有するレンズ部品１０１２を備えるカメラレンズセット１０１０の縦断面図である。
【図１８】レンズ部品１２を収納する収納ケース９０の平面図である。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、カメラレンズセット１０の全体構成図である。図２は、カメラレンズセット１０の縦断面である。
【００１２】
カメラレンズセット１０は、複数のレンズ部品１２を互いに着脱可能に構成することによって、２以上のレンズ部品１２の複数の異なる組み合わせを実現することができる。これにより、レンズとしての自由度の高いカメラレンズセット１０を提供する。図１及び図２に矢印で示す前後を、カメラレンズセット１０の前方及び後方とする。前後方向は、カメラレンズセット１０の光軸方向と平行である。尚、光は、前方から入射して、後方へ出射する。
【００１３】
図１及び図２に示すように、カメラレンズセット１０は、複数のレンズ部品１２と、カメラマウント部材２０とを備える。複数のレンズ部品１２は、単体ではカメラレンズとして利用できない。レンズ部品１２は、２以上を組み合わせることが前提であって、例えば、単体では焦点を合すことができない、または、収差が許容範囲を超えている等によって単体ではカメラレンズとして機能しない。複数のレンズ部品１２のうち、２以上のレンズ部品１２が組み合わされることにより、カメラレンズとして機能する。複数のレンズ部品１２は、互いに着脱可能に取り付けられる。複数のレンズ部品１２のうち少なくとも１つのレンズ部品１２は、レンズ１４と、筐体１６と、複数の装着部１８とを備える。
【００１４】
レンズ１４は、凸レンズ、凹レンズ、球面レンズ、または、非球面レンズ等を適用できる。
【００１５】
筐体１６は、円筒形状に形成されている。筐体１６の内周は、レンズ１４の外周よりも小さい。筐体１６は、レンズ１４の外周を支持する。筐体１６のそれぞれの光軸方向の高さは、略同一である。
【００１６】
複数の装着部１８、例えば、８個の装着部１８は、筐体１６の外周部に設けられている。８個の装着部１８のうち、４個の装着部１８は、筐体１６の前端部に設けられ、残りの４個の装着部１８は、筐体１６の後端部に設けられている。前端部に設けられた４個の装着部１８、及び、後端部に設けられた４個の装着部は、周方向において等角度間隔（例えば、９０°間隔）で配置されている。装着部１８は、磁石を含む。各レンズ部品１２において、前端部の装着部１８の磁極は、後端部の装着部１８の磁極と異なる。従って、一のレンズ部品１２の前端部の装着部１８は、他のレンズ部品１２の後端部の装着部１８と磁力で引き合う。これにより、装着部１８は、レンズ部品１２の筐体１６を、他のレンズ部品１２の筐体に対して着脱可能に装着する。また、装着部１８は、周方向及び光軸方向において、他のレンズ部品１２の装着部１８に対して相対移動できる。従って、組み立てられた２以上のレンズ部品１２の光軸がずれている場合、レンズ部品１２同士を相対移動させることにより光軸を調整することができる。尚、前端部に設けられるレンズ部品１２の前側の装着部１８は、省略してもよい。
【００１７】
レンズ部品１２のいずれかは、レンズ表示部２６を更に備える。レンズ表示部２６は、情報表示部の一例であって、液晶表示装置、有機ＥＬ表示装置等を有する。レンズ表示部２６は、複数のレンズ部品１２が組み合わされた状態でのカメラレンズセット１０等に関する表示情報を表示する。表示情報は、一例として、カメラレンズセット１０の焦点距離、被写体までの距離、Ｆ値等である。
【００１８】
カメラマウント部材２０は、マウント本体２２と、被装着部２４とを有する。マウント本体２２は、略円筒形状である。従って、マウント本体２２の中央部は、光を透過可能な空洞である。マウント本体２２の前端は、他のレンズ部品１２に装着される。マウント本体２２の後端は、撮像装置に取り付けられる。被装着部２４は、マウント本体２２の外周面の前端部に設けられている。被装着部２４は、磁石を含む。これにより、被装着部２４は、レンズ部品１２の装着部１８と磁力で引き合い、レンズ部品１２にカメラマウント部材２０を装着する。この結果、カメラマウント部材２０は、カメラレンズセット１０と撮像装置の本体とを着脱可能に連結する。尚、他の装置、例えば、ビデオカメラ、プロジェクタ等に取り付けられるように、複数のカメラマウント部材２０が用意されていてもよい。
【００１９】
上述したようにカメラレンズセット１０は、装着部１８によって、互いに着脱可能に装着される複数のレンズ部品１２を備えている。これにより、カメラレンズセット１０は、例えば、図２に示すように、凸型のレンズ１４を有する最前部のレンズ部品１２を、凹型のレンズ１４を有する点線で示すレンズ部品１２に交換することができる。これにより、カメラレンズセット１０は、複数のレンズ部品１２によって異なる複数の組み合わせを実現できるので、レンズとしての自由度を向上させることができる。
【００２０】
図３は、カメラレンズセット１０が装着された撮像装置５０の縦断面図である。図３に示すように、撮像装置５０は、本体部５２と、ミラー５４と、撮像部５６と、ファインダー５８と、表示部６０と、入力部６２と、制御部６４と、記憶部６６とを有する。尚、図３に示す形態では撮像装置５０はミラー５４を有するが、撮像装置５０はミラーレスであってもよい。
【００２１】
本体部５２は、カメラレンズセット１０、ミラー５４、撮像部５６、ファインダー５８、表示部６０、入力部６２、制御部６４、及び、記憶部６６を保持または収容する。本体部５２の前端部には、被マウント部６８が形成されている。被マウント部６８は、カメラレンズセット１０のカメラマウント部材２０とマウントされる。これにより、本体部５２は、カメラレンズセット１０を保持する。
【００２２】
ミラー５４は、予め定められた範囲で回動可能に本体部５２の内部に設置されている。ミラー５４は、カメラレンズセット１０を介して入射した光の光路を撮像部５６の方向とファインダー５８の方向とで切り替える。
【００２３】
撮像部５６は、カメラレンズセット１０の光軸上に配置されている。撮像部５６は、ＣＭＯＳ（complementary metal-oxide-semiconductor）イメージセンサまたはＣＣＤ（charge-coupled device）センサ等を有する。撮像部５６は、入射した光を光電変換することにより得られた電気信号を出力する。
【００２４】
ファインダー５８は、本体部５２の後面の上部に設けられている。ファインダー５８は、カメラレンズセット１０を通過して、ミラー５４によって反射された被写体像を出射する。
【００２５】
表示部６０は、一例として、液晶表示装置、有機ＥＬ表示装置を有する。表示部６０は、本体部５２の後面に設けられている。表示部６０は、撮像した画像、撮像中の画像、撮像装置５０の設定情報等の画像を表示する。
【００２６】
入力部６２は、表示部６０の後面に設けられている。入力部６２は、タッチパネルを有する。入力部６２は、ユーザが入力する情報を受け付けて、出力する。
【００２７】
制御部６４は、撮像装置５０の制御全般を司る。例えば、制御部６４は、撮像部５６に撮像された画像を表示部６０に表示させる。また、制御部６４は、識別情報等をカメラレンズセット１０から取得して、カメラレンズセット１０の特性に関する情報を表示部６０に表示させる。
【００２８】
記憶部６６は、制御部６４によって実行されるプログラム、撮像した画像等の情報、カメラレンズセット１０に関する情報等を記憶する。
【００２９】
図４は、カメラレンズセット１０及び撮像装置５０の制御系を説明するブロック図である。図４に示すように、カメラレンズセット１０のレンズ部品１２は、出力部７０と、識別情報を記憶する記憶部７２とを有する。識別情報は、レンズ部品１２の特性を示す情報、及び、レンズ部品１２を特定するためのＩＤ情報等を含む。
【００３０】
出力部７０は、隣接するレンズ部品１２の出力部７０と接続されている。尚、出力部７０同士は、無線通信及び有線通信のいずれであってもよい。また、出力部７０同士は、有線通信の場合、バス接続であってもよい。出力部７０は、一方で隣接するレンズ部品１２の出力部７０から当該レンズ部品１２の識別情報を取得する。また、出力部７０は、同じレンズ部品１２の記憶部７２と接続されている。出力部７０は、自己の識別情報を記憶部７２から取得する。出力部７０は、一方で隣接するレンズ部品１２の識別情報、及び、自己の識別情報を、他方で隣接するレンズ部品１２の出力部７０へ出力する。ここで、出力部７０は、識別情報のそれぞれに装着順序情報を付与して出力する。出力部７０は、隣接する出力部７０へ識別情報を出力するときに、各識別情報に対応付けられた装着順序情報を＋１インクリメントさせる。これにより、装着順序情報は、出力される度に１ずつ増加するので、出力部７０、後述する特定部７６及び推奨部７８は、レンズ部品１２の装着順序を認識することができる。
【００３１】
出力部７０は、レンズ表示部２６にカメラレンズセット１０の特性を表示させる。例えば、出力部７０は、レンズ表示部２６に複数のレンズ部品１２が装着された状態でのカメラレンズセット１０の焦点距離、Ｆ値等を表示する。
【００３２】
撮像装置５０に最も隣接するレンズ部品１２の出力部７０は、カメラレンズセット１０に装着された全てのレンズ部品１２の識別情報、装着順序情報を撮像装置５０へ出力する。
【００３３】
制御部６４は、一例として、ＣＰＵ（Central Processing Unit）等の処理装置を含むコンピュータである。制御部６４は、取得部７４と、特定部７６と、推奨部７８と、撮像制御部８０と、汚れ検出部８２とを有する。制御部６４は、記憶部６６に記憶されたプログラムを読み込むことによって、取得部７４、特定部７６、推奨部７８、撮像制御部８０、汚れ検出部８２として機能する。尚、取得部７４、特定部７６、推奨部７８、撮像制御部８０、汚れ検出部８２の一部を回路等のハードウェアとして構成してもよい。
【００３４】
取得部７４は、撮像装置５０に取り付けられたカメラレンズセット１０の複数のレンズ部品１２のうち、撮像装置５０に最も近いレンズ部品１２の出力部７０と情報を送受信可能に接続される。尚、取得部７４は、出力部７０と無線通信及び有線通信のいずれで接続されていてもよい。取得部７４は、装着されたカメラレンズセット１０を構成するレンズ部品１２のそれぞれの識別情報、装着順序情報を当該出力部７０から取得する。取得部７４は、取得したレンズ部品１２の識別情報、装着順序情報を出力する。
【００３５】
特定部７６は、取得部７４に接続されている。特定部７６は、取得部７４からレンズ部品１２の識別情報、装着順序情報が入力されると、当該識別情報、装着順序情報に基づいて、２以上のレンズ部品１２の組み合わせによるカメラレンズセット１０の焦点距離、Ｆ値、及び、特性の少なくとも１つを含むレンズ情報を特定する。特定部７６は、特定した情報を出力するとともに、特定した情報を表示部６０に表示させる。
【００３６】
推奨部７８は、予め記憶された推奨する２以上のレンズ部品１２の組み合わせを記憶部６６から抽出する。推奨部７８は、抽出し組み合わせを表示部６０に表示させて、推奨する。例えば、推奨部７８は、ユーザが入力部６２によって指定した希望するカメラレンズセット１０のカメラレンズセット１０の焦点距離、Ｆ値、及び、特性の少なくとも１つを含む条件に応じて、推奨するレンズ部品１２の組み合わせを記憶部６６から抽出する。推奨部７８は、抽出したレンズ部品１２の組み合わせを表示部６０に表示させて推奨する。また、推奨部７８は、撮像装置５０側から順にレンズ部品１２を装着していく過程で、次に装着すべきレンズ部品１２の候補を、記憶部６６から抽出して表示部６０に表示させてもよい。
【００３７】
撮像制御部８０は、撮像部５６を制御して、被写体を撮像させる。例えば、撮像制御部８０は、カメラレンズセット１０を通して撮像部５６により、予め定められた検査パターンを、カメラレンズセット１０を通して撮像させる。
【００３８】
汚れ検出部８２は、撮像された検査パターンに現れたゴーストに基づいて、２以上のレンズ部品１２のうち、いずれのレンズ部品１２のレンズ１４が汚れているかを検出する。汚れ検出部８２は、汚れているレンズ部品１２を表示部６０に表示させる。
【００３９】
記憶部６６は、レンズ部品１２の組み合わせと、当該組み合わせに関連付けられたカメラレンズセット１０の特性とを含むレンズ情報のテーブルを記憶する。これにより、記憶部６６は、カメラレンズセット１０から入力されたレンズ部品１２の組み合わせに対するカメラレンズセット１０の特性を特定部７６に提供できる。また、記憶部６６は、ユーザによって指定された条件に対応するレンズ部品１２の組み合わせを推奨部７８に提供できる。
【００４０】
図５は、撮像装置５０におけるカメラレンズ１４の特性表示処理のフローチャートである。撮像装置５０の制御部６４は、記憶部６６に記憶された特性表示プログラムを読み込むことによって、特性表示処理を実行する。
【００４１】
図５に示すように、特性表示処理では、撮像装置５０の取得部７４が、カメラレンズセット１０が撮像装置５０に装着されたか否かを判定する（Ｓ１０）。例えば、取得部７４は、カメラマウント部材２０が取り付けられたことをセンサ等によって検出してもよく、カメラレンズセット１０の出力部７０から信号を取得することによって装着を検出してもよい。
【００４２】
取得部７４は、カメラレンズセット１０が装着されたと判定すると（Ｓ１０：Ｙｅｓ）、カメラレンズセット１０の出力部７０から識別情報、及び、装着順序情報を取得する（Ｓ１２）。取得部７４は、取得した識別情報及び装着順序情報を特定部７６へ出力する。
【００４３】
次に、特定部７６は、識別情報及び装着順序情報を取得すると、カメラレンズセット１０の焦点距離、Ｆ値等の特性を特定する（Ｓ１４）。
【００４４】
特定部７６は、特定したカメラレンズセット１０の特性を表示部６０に表示させるとともに（Ｓ１６）、推奨部７８に出力する（Ｓ１８）。これにより、表示部６０は、装着されたカメラレンズセット１０の特性を表示する。
【００４５】
推奨部７８は、ユーザによって入力部６２からカメラレンズセット１０の条件が入力されているか否かを判定する（Ｓ２０）。推奨部７８は、条件が入力されていないと判定すると（Ｓ２０：Ｎｏ）、特性表示処理を終了する。
【００４６】
推奨部７８は、条件が入力されていると判定すると（Ｓ２０：Ｙｅｓ）、推奨するレンズ部品１２の組み合わせを記憶部６６から抽出する（Ｓ２２）。推奨部７８は、抽出したレンズ部品１２の組み合わせを表示部６０に表示させて、当該組み合わせを推奨する（Ｓ２４）。尚、推奨部７８は、推奨するレンズ部品１２の組み合わせと、撮像装置５０に取り付けられたカメラレンズセット１０のレンズ部品１２の組み合わせが異なる場合、異なるレンズ部品１２を特定して表示させてもよい。尚、推奨部７８は、レンズ部品１２を組み立てる工程で、レンズ部品１２を１つ１つ装着する毎に次に組み立てるレンズ部品１２を推奨してもよい。
【００４７】
これにより、特性表示処理が終了する。
【００４８】
図６は、撮像装置５０におけるカメラレンズ１４の汚れ検出処理のフローチャートである。撮像装置５０の制御部６４は、記憶部６６に記憶された汚れ検出プログラムを読み込むことによって、汚れ検出処理を実行する。
【００４９】
図６に示すように、汚れ検出処理では、撮像装置５０の取得部７４が、カメラレンズセット１０が撮像装置５０に装着されたか否かを判定する（Ｓ３０）。取得部７４は、カメラレンズセット１０が撮像装置５０に装着されたと判定すると（Ｓ３０：Ｙｅｓ）、識別情報及び装着順序情報を取得して、撮像制御部８０へ出力する（Ｓ３２）。
【００５０】
撮像制御部８０は、識別情報を取得すると、撮像部５６へ検査パターンを撮像させる（Ｓ３４）。撮像制御部８０は、撮像部５６から検査パターンの画像情報を取得して、汚れ検出部８２に識別情報とともに、画像情報を出力する（Ｓ３６）。
【００５１】
汚れ検出部８２は、画像情報から画像にゴーストが含まれているか否かを判定する（Ｓ３８）。汚れ検出部８２は、ゴーストが含まれていないと判定すると（Ｓ３８：Ｎｏ）、汚れ検出処理を終了する。一方、汚れ検出部８２は、ゴーストありと判定すると（Ｓ３８：Ｙｅｓ）、ゴーストの起因である汚れたレンズ部品１２を特定して、表示部６０に表示させる（Ｓ４０）。例えば、汚れ検出部８２は、レンズ部品１２とゴースト形状とを対応付けて記憶部６６に記憶されたテーブルから、画像に含まれているゴーストにマッチングするレンズ部品１２を抽出することによって、汚れているレンズ部品１２を検出する。
【００５２】
これにより、汚れ検出処理が終了する。
【００５３】
上述したように、撮像装置５０では、特定部７６が、カメラレンズの特性を特定するので、ユーザは組み合わされたレンズ部品１２の特性を知ることができる。これにより、撮像装置５０は、ユーザの操作性を向上させることができる。
【００５４】
撮像装置５０では、推奨部７８が、推奨するレンズ部品１２の組み合わせを推奨するので、ユーザに適切なレンズ部品１２の情報を提供できる。
【００５５】
撮像装置５０では、汚れ検出部８２が、汚れの生じているレンズ部品１２を特定するので、ユーザに汚れているレンズ部品１２の情報を提供できる。
【００５６】
図７は、第１変形例にかかるレンズ部品１１２を備える分解状態のカメラレンズセット１１０の縦断面図である。図８は、図７に示すカメラレンズセット１１０が装着された撮像装置５０の縦断面図である。図７に示すように、レンズ部品１１２は、前装着部１１８及び後装着部１１９を有する。
【００５７】
前装着部１１８は、レンズ部品１１２の筐体１６の前面の外周部に設けられている。前装着部１１８は、撮像装置５０の被マウント部６８と同様の形状を有する。
【００５８】
後装着部１１９は、レンズ部品１１２の筐体１６の後面の外周部に設けられている。後装着部１１９は、撮像装置５０の本体部５２の被マウント部６８にカメラレンズセット１０を着脱可能に連結するカメラマウント部材２０のマウント本体２２と同一の形状を有する。尚、前端部、即ち、対物のレンズ部品１１２は、前装着部１１８を有していなくてもよい。
【００５９】
これにより、図８に示すように、いずれかのレンズ部品１１２の後装着部１１９は、他のレンズ部品１１２の前装着部１１８にマウントできる。更に、レンズ部品１１２の後装着部１１９は、撮像装置５０の本体部５２の被マウント部６８とマウントされる。これにより、カメラレンズセット１１０は、カメラカメラマウント部材２０を省略することができる。また、カメラレンズセット１１０は、いずれのレンズ部品１１２も撮像装置５０に装着することができる。
【００６０】
図９は、第２変形例にかかるカメラレンズセット２１０の縦断面図である。図９に示すように、カメラレンズセット２１０は、外部鏡筒２１９を更に備える。外部鏡筒２１９は、筒状、例えば、円筒形状である。外部鏡筒２１９の内周部には、凹部２２１が形成されている。凹部２２１の内径は、レンズ部品１２の外径と略同じである。これにより、外部鏡筒２１９は、内周面で２以上のレンズ部品１２を保持して内蔵することができる。凹部２２１の光軸方向の長さは、レンズ部品１２の整数個分の光軸方向の長さと同じである。図９に示す例では、凹部２２１の光軸方向の長さは、レンズ部品１２の３個分の光軸方向の長さと同じである。これにより、外部鏡筒２１９は、凹部２２１の前端及び後端の内周面において、３個のレンズ部品１２が組み立てられたカメラレンズセット２１０を前後から挟持する。この結果、外部鏡筒２１９の端部は、内蔵された２以上のレンズ部品１２を固定する。
【００６１】
図１０は、第３変形例にかかる支持部３１８を有するレンズ部品３１２を備えるカメラレンズセット３１０の全体斜視図である。図１０に示すように、カメラレンズセット３１０の各レンズ部品３１２のそれぞれは、蝶番構造の複数の支持部３１８を有する。一のレンズ部品３１２の支持部３１８は、他のレンズ部品３１２の支持部３１８と軸部材３１９によって回動可能に連結される。また、支持部３１８は、他のレンズ部品３１２の筐体１６と軸部材３１９によって着脱可能に設けられる。ここで、複数の支持部３１８のいずれかを軸部材によって連結することにより、２個のレンズ部品３１２を軸部材３１９の周りで開閉可能に連結することができる。これにより、支持部３１８は、隣接するレンズ部品３１２の筐体１６同士の間を折り畳みまたは広げることができるように支持する。尚、２個のレンズ部品３１２の閉状態は、装着部１８の磁力によって、維持される。また、支持部３１８が磁石を含み、隣接するレンズ部品３１２の支持部３１８が磁力によって互いに引き合ってもよい。
【００６２】
蝶番構造の支持部３１８は、レンズ部品３１２の両側面に設けることが好ましい。これにより、蝶番構造の支持部３１８を交互に軸部材３１９によって連結することができる。例えば、最前のレンズ部品３１２の右側の支持部３１８と２番目のレンズ部品３１２の右側の支持部３１８を軸部材３１９によって連結して、２番目のレンズ部品３１２の左側の支持部３１８と３番目のレンズ部品３１２の左側の支持部３１８とを軸部材３１９によって連結することができる。これにより、３個のレンズ部品３１２を軸部材３１９によって連結した状態で、略平坦状に広げることができる。尚、平坦状に広げられた３個のレンズ部品３１２は、平面視において、一直線状であってもよく、折れ曲がっていてもよい。
【００６３】
図１１は、第４変形例にかかる装着部４１８、４１９を有するレンズ部品４１２を備えるカメラレンズセット４１０の側面図である。図１１に示すように、カメラレンズセット４１０の各レンズ部品４１２の装着部のいずれかの装着部４１８、４１９は、凹凸を有する。例えば、前側の装着部４１８の前端部には、光軸方向に窪んだ凹状の被嵌合部４８０が形成されている。後側の装着部４１９の後端部には、光軸方向に突出した凸状の嵌合部４８１が形成されている。ここで、被嵌合部４８０及び嵌合部４８１は、複数の形状を有する。従って、嵌合部４８１は、全ての被嵌合部４８０に嵌合できるのではなく、形状の合ういずれかの被嵌合部４８０とのみ嵌合できる。これにより、カメラレンズセット４１０は、被嵌合部４８０と嵌合部４８１との嵌合によって、適切なレンズ部品４１２の組み合わせを提供できる。例えば、複数のレンズ部品は、光軸方向におけるレンズ部品を配置すべき位置に応じてグループ分けされていてもよい。このようにグループ分けされている場合、装着部４１８、４１９は、隣接して配置すべきでないレンズ部品４１２の装着部４１８、４１９と嵌合しないように形成される。尚、前端部に配置されるレンズ部品４１２は、前側の装着部４１８を省略してもよい。
【００６４】
図１２は、第５変形例にかかる筐体５１６を有するレンズ部品５１２を備えるカメラレンズセット５１０の縦断面図である。図１２に示すように、レンズ部品５１２のそれぞれの筐体５１６には、窓５１７が形成されている。窓５１７は、光軸方向に延びる。窓５１７は、筐体５１６を貫通している。レンズ部品５１２のそれぞれに形成された窓５１７は、筐体５１６内で同じ位置に形成されている。これにより、レンズ部品５１２のそれぞれに形成された窓５１７は、レンズ部品５１２が組み立てられた状態では、一列に配列される。この結果、窓５１７は、レンズ部品５１２が組み合わされた状態では、対応する位置で一方から他方へ光を通す。
【００６５】
筐体５１６は、光透過部５１９を有する。光透過部５１９は、窓５１７の内部に設けられている。光透過部５１９は、レンズ部品５１２の種類を示す色またはパターンを有する。複数のレンズ部品５１２が組み立てられた状態では、複数の光透過部５１９が、一直線上に配置される。
【００６６】
２以上のレンズ部品５１２を組み合わせた状態では、２以上のレンズ部品５１２の光透過部５１９を透過した光の色またはパターンにより、２以上のレンズ部品５１２の適性を示す。例えば、適切な２以上のレンズ部品５１２を組み合わせた状態では、２以上のレンズ部品５１２の光透過部５１９を透過した光の色が青となるように光透過部５１９を構成して、不適切な場合、２以上のレンズ部品５１２の光透過部５１９を透過した光の色が赤となるように光透過部５１９を構成すればよい。
【００６７】
図１３は、第６変形例にかかる筐体６１６を有するレンズ部品６１２を備えるカメラレンズセット６１０の縦断面図である。図１３に示すように、筐体６１６の前面には、複数のピン６１７が固定されている。複数のピン６１７は、周方向において、等角度間隔で設けられている。筐体６１６の後面には、ピン６１７と対向する位置にピン孔６１９が形成されている。ピン孔６１９の直径は、ピン６１７の直径と同じである。複数のピン６１７及び複数のピン孔６１９は、レンズ１４の中心から同じ距離に配置されている。従って、ピン６１７がピン孔６１９に嵌合されると、複数のレンズ部品６１２の光軸が合うとともに、レンズ部品６１２の筐体６１６が他の筐体６１６にピン６１７によって固定される。カメラレンズセット５１０を組み立てることができる。これにより、カメラレンズセット６１０は、容易に光軸を合わせることができ、且つ、組立後は光軸のずれを抑制できる。
【００６８】
図１４は、第７変形例にかかるレンズ部品７１２を備えるカメラレンズセット７１０の縦断面図である。図１４に示すように、カメラレンズセット７１０は、複数の固定ピン７２１を備える。固定ピン７２１の長さは、組み立てられた状態でのカメラレンズセット７１０の光軸方向の長さと等しい。２以上のレンズ部品７１２の装着部７１８のそれぞれには、対応する位置に複数の貫通孔７１９が形成されている。これにより、光軸を合わせた状態で適切にカメラレンズセット７１０が組み立てられると、貫通孔７１９は、一列に配列される。この組み立てられた状態で、固定ピン７２１が貫通孔７１９に通されると、レンズ部品７１２が互いに固定されて、光軸のずれを抑制できる。尚、固定ピン７２１を貫通孔７１９に通しつつ、複数のレンズ部品７１２を組み立てることにより、組み立て時の光軸合わせを容易にすることができる。
【００６９】
図１５は、第８変形例にかかるレンズ部品を備えるカメラレンズセット８１０の縦断面図である。図１５に示すように、複数のレンズ部品のうち、少なくとも１つのレンズ部品を絞りレンズ部品８１２としてもよい。絞りレンズ部品８１２は、部分的に光を透過する絞り部材８１４と、筐体１６と、装着部１８とを有する。これにより、絞りレンズ部品８１２は、他のレンズ部品１２と組み合わされて絞りとして機能する。例えば、絞りレンズ部品８１２の中央部は、光を通過可能に開口している。絞りレンズ部品８１２の開口の大きさは、変更可能に構成することが好ましい。また、絞り部材８１４は、液晶絞りによって構成してもよい。液晶絞りは、中央部に設けられた液晶に印加する電圧を制御することによって、電気的に絞りの開口の形状を変更できる。また、カメラレンズセット８１０は、２以上の絞りレンズ部品８１２を備えていてもよい。この場合、２以上の絞りレンズ部品８１２の絞り部材８１４の絞りの形が互いに異なることが好ましい。例えば、絞りレンズ部品８１２の絞り部材８１４の開口形状は、四角形状、丸形状、ハート形状等である。
【００７０】
図１６は、第９変形例にかかるレンズ部品を備えるカメラレンズセット９１０の縦断面図である。図１６に示すように、複数のレンズ部品のうち、少なくとも１つのレンズ部品を空洞レンズ部品９１２としてもよい。空洞レンズ部品９１２は、外周筐体９１６と、内周筐体９１７と、装着部１８とを有し、レンズ１４を有さない。
【００７１】
外周筐体９１６は、空洞レンズ部品９１２の前端部に設けられている。内周筐体９１７は、空洞レンズ部品９１２の後端部に設けられている。内周筐体９１７の前端部の外周は、外周筐体９１６の後端部の内周よりも小さい。内周筐体９１７の前端部は、外周筐体９１６の後端部の外側に配置されている。内周筐体９１７は、外周筐体９１６に対して前後方向に移動できる。これにより、光軸方向において、空洞レンズ部品９１２は、外周筐体９１６の前側に装着されたレンズ部品１２と、内周筐体９１７の後側に装着されたレンズ部品１２との間の距離を変更可能に保持する。従って、空洞レンズ部品９１２は、ズーム用レンズ部品として機能する。更に、空洞レンズ部品９１２は、駆動部９２１を有する。駆動部９２１は、一例として、超音波モータを有する。駆動部９２１は、外周筐体９１６の内周部に設けられている。駆動部９２１は、内周筐体９１７の外周部と接している。これにより、駆動部９２１は、光軸方向において、外周筐体９１６に対して、内周筐体９１７を駆動させて相対移動させることができる。
【００７２】
図１７は、第１０変形例にかかる装着部を有するレンズ部品１０１２を備えるカメラレンズセット１０１０の縦断面図である。図１７に示すように、前側装着部１０１８及び後側装着部１０１９は、筐体１０１６と一体化されている。前側装着部１０１８は、筐体１０１６の前端部の上側に設けられている。前側装着部１０１８は、筐体１０１６の前面の全周にわたって形成されている。前側装着部１０１８の内周部には、ネジ溝が形成されている。後側装着部１０１９は、筐体１０１６の後端部の下側に設けられている。後側装着部１０１９は、筐体１０１６の後面の全周にわたって形成されている。後側装着部１０１９の外周部には、前側装着部１０１８のネジ溝に対応するネジ溝が形成されている。これにより、レンズ部品１０１２の前側装着部１０１８が他のレンズ部品１０１２の後側装着部１０１９と噛み合うことにより、レンズ部品１０１２が他のレンズ部品１０１２に装着される。尚、カメラマウント部１０２０の前端部にレンズ部品１０１２の後側装着部１０１９と噛み合うネジ溝が形成されて装着部１０２４を設けることが好ましい。
【００７３】
図１８は、レンズ部品１２を収納する収納ケース９０の平面図である。図１８に示すように、収納ケース９０は、一対のケース枠９２及び収納部９４を有する。
【００７４】
ケース枠９２は、金属またはプラしチック等の硬質の材料からなる。ケース枠９２は、収納部９４の内面以外を覆う。一対のケース枠９２は、互いに開閉可能に連結されている。図１８に示すケース枠９２は、開状態である。閉状態では、ケース枠９２の一面が、互いに対向する状態となる。
【００７５】
収納部９４は、弾力性を有するスポンジ状の樹脂等からなる。収納部９４には、レンズ部品１２の外周と同じ形状の複数の保持穴９６が形成されている。保持穴９６は、レンズ部品１２を保持しつつ収納する。これにより、収納ケース９０は、複数のレンズ部品１２を水平に且つ重ならないように配列して収納できる。更に、収納ケース９０は、複数のレンズ部品１２を水平方向に配列した状態で、洗浄用の空気を各レンズ部品１２のレンズ１４に吹き付けるための通気口を有してもよい。
【００７６】
上述した各実施形態の構成の形状、配置、個数等の数値、接続関係等は適宜変更してよい。また、各実施形態を適宜組み合わせてもよい。
【００７７】
例えば、上述の実施形態では、撮像装置として、スチルカメラを例に上げたが、ビデオカメラに上述の実施形態を適用してもよい。
【００７８】
上述の実施形態では、レンズ部品が１枚のレンズを有する例を上げたが、レンズ部品が２枚以上のレンズを有してもよい。
【００７９】
複数のレンズ部品は、光軸方向におけるレンズ部品を配置すべき位置に応じてグループ分けされていてもよい。例えば、カメラレンズセット１０の前側に設けられるレンズ部品１２、中央部に設けられるレンズ部品１２、後側に設けられるレンズ部品１２によって、複数のレンズ部品をグループ分けしてもよい。更に、グループ分けした複数のレンズ部品をグループ毎に色分けしてもよい。
【００８０】
上述のレンズ部品は、レンズ１４の一方の側に取り付けられる暗色のレンズキャップと、レンズ１４の他方の側に取り付けられる透明のレンズキャップとを有してもよい。
【００８１】
上述の実施形態では、レンズ１４を有するレンズ部品１２にレンズ表示部２６を設ける例を示したが、絞りレンズ部品８１２、空洞レンズ部品９１２等にレンズ表示部２６を設けてもよい。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８４】
１０  カメラレンズセット、        １２  レンズ部品、        １４  レンズ、        １６  筐体、        １８  装着部、        ２０  カメラマウント部材、        ２２  マウント本体、        ２４  被装着部、        ２６  レンズ表示部、        ５０  撮像装置、        ５２  本体部、        ５４  ミラー、        ５６  撮像部、        ５８  ファインダー、        ６０  表示部、        ６２  入力部、        ６４  制御部、        ６６  記憶部、        ６８  被マウント部、        ７０  出力部、        ７２  記憶部、        ７４  取得部、        ７６  特定部、        ７８  推奨部、        ８０  撮像制御部、        ８２  汚れ検出部、        ９０  収納ケース、        ９２  ケース枠、        ９４  収納部、        ９６  保持穴、        １１０  カメラレンズセット、        １１２  レンズ部品、        １１８  前装着部、        １１９  後装着部、        ２１０  カメラレンズセット、        ２１９  外部鏡筒、        ２２１  凹部、        ３１０  カメラレンズセット、        ３１２  レンズ部品、        ３１８  支持部、        ３１９  軸部材、        ４１０  カメラレンズセット、        ４１２  レンズ部品、        ４１８  装着部、        ４１９  装着部、        ４８０  被嵌合部、        ４８１  嵌合部、        ５１０  カメラレンズセット、        ５１２  レンズ部品、        ５１６  筐体、        ５１７  窓、        ５１９  光透過部、        ６１０  カメラレンズセット、        ６１２  レンズ部品、        ６１６  筐体、        ６１７  ピン、        ６１９  ピン孔、        ７１０  カメラレンズセット、        ７１２  レンズ部品、        ７１８  装着部、        ７１９  貫通孔、        ７２１  固定ピン、        ８１０  カメラレンズセット、        ８１２  絞りレンズ部品、        ８１４  部材、        ９１０  カメラレンズセット、        ９１２  空洞レンズ部品、        ９１６  外周筐体、        ９１７  内周筐体、        ９２１  駆動部、        １０１０  カメラレンズセット、        １０１２  レンズ部品、        １０１６  筐体、        １０１８  前側装着部、        １０１９  後側装着部、        １０２０  カメラマウント部、        １０２４  装着部
【図１】
2014235401.tif 000003
【図２】
2014235401.tif 000004
【図３】
2014235401.tif 000005
【図４】
2014235401.tif 000006
【図５】
2014235401.tif 000007
【図６】
2014235401.tif 000008
【図７】
2014235401.tif 000009
【図８】
2014235401.tif 000010
【図９】
2014235401.tif 000011
【図１０】
2014235401.tif 000012
【図１１】
2014235401.tif 000013
【図１２】
2014235401.tif 000014
【図１３】
2014235401.tif 000015
【図１４】
2014235401.tif 000016
【図１５】
2014235401.tif 000017
【図１６】
2014235401.tif 000018
【図１７】
2014235401.tif 000019
【図１８】
2014235401.tif 000020